(57)【要約】【課題】複数台を組み合わせて配置することによる利便性を高める。【解決手段】画像表示装置１００Ａは、画像を電子的に表示する表示部１１０Ａと、電力を光から発生させて、出力する発電部１２０Ａと、発電部１２０Ａの出力値に基づいて、表示部１１０Ａが表示する画像の視認性を判定する判定部１９２Ａとを備える。【選択図】図２
2014021434.tif 000002
【特許請求の範囲】
【請求項１】
画像を電子的に表示する表示部と、
電力を光から発生させて、出力する発電部と、
前記発電部の出力値に基づいて、前記表示部が表示する画像の視認性を判定する判定部と
を備えることを特徴とする画像表示装置。
【請求項２】
前記判定部は、
複数の画像表示装置がそれぞれ備える発電部の出力値に基づいて、前記複数の画像表示装置における各画像表示装置の組合せ状態を判定し、前記判定の判定結果に基づいて前記表示部が表示する画像の視認性を判定する
ことを特徴とする請求項１に記載の画像表示装置。
【請求項３】
前記判定部による判定結果に応じて、前記表示部における画像の表示を制御する表示制御部
を備えることを特徴とする請求項２に記載の画像表示装置。
【請求項４】
前記表示制御部は、
前記判定部による判定結果に応じて定められる優先順位に従って、前記表示部における画像の表示を制御する
ことを特徴とする請求項３に記載の画像表示装置。
【請求項５】
前記表示制御部は、
前記判定部による判定結果に応じて定められる更新頻度に従って、前記表示部における画像の表示の更新を制御する
ことを特徴とする請求項３又は請求項４に記載の画像表示装置。
【請求項６】
前記複数の画像表示装置のうち自画像表示装置と異なる他の画像表示装置との間で電力を交換する電力交換部と、
前記判定部による判定結果に応じて、前記他の画像表示装置との間の電力の受給方法を決定し、前記決定した受給方法に従って電力の交換を制御する電力制御部と
を備えることを特徴とする請求項２から請求項５の何れか１項に記載の画像表示装置。
【請求項７】
前記光から発生させた電力が蓄電部に蓄電されており、前記発電部の出力値が、前記蓄電部に蓄電されている蓄電量に応じて変化する値であって、
前記判定部は、
前記蓄電部に蓄電されている蓄電量に応じて変化する値に基づいて、前記表示部が表示した画像の視認性を判定する
ことを特徴とする請求項１から請求項６の何れか１項に記載の画像表示装置。
【請求項８】
前記判定部は、
前記発電部の出力値に基づいて、前記発電部が備える受光面の少なくとも一部が自画像表示装置以外の画像表示装置の筐体によって覆われていると判定する
ことを特徴とする請求項１から請求項７の何れか１項に記載の画像表示装置。
【請求項９】
前記表示部は、
前記画像を電子的に表示し、前記受光面が設けられた面と同一の面に設けられる表示面とを備える
ことを特徴とする請求項８に記載の画像表示装置。
【請求項１０】
請求項１に記載の複数の画像表示装置と、
前記判定部による判定結果に応じて、前記複数の画像表示装置間の電力の受給方法を決定し、前記決定した受給方法に従って電力の交換を制御する電力制御部と
を備えることを特徴とする画像表示システム。
【請求項１１】
画像表示装置が備えるコンピュータに、
表示部が画像を電子的に表示するステップと、
発電部が電力を光から発生させるステップと、
前記発電部の出力値に基づいて、前記表示部が表示した画像の視認性を判定するステップと
を実行させるためのプログラム。
【発明の詳細な説明】
【技術分野】
【０００１】
本発明は、画像表示装置、画像表示システム、及びプログラムに関する。
【背景技術】
【０００２】
デジタルフォトフレームに代表される画像表示装置のうち、表示部と太陽電池を備えるものがある。表示部と太陽電池を備える画像表示装置は、太陽電池が発電した電力によって、所望の画像などを表示部に表示している。
また、画像表示装置を複数台近接して配置して、それぞれの画像表示装置に表示させる画像を、全体として連続性のある調和のとれた表示にする方法が考案されている（例えば、特許文献１参照）。
【先行技術文献】
【特許文献】
【０００３】
【特許文献１】特開２０１２−９８８３５号公報
【発明の概要】
【発明が解決しようとする課題】
【０００４】
しかしながら、ユーザーが望むように複数の画像表示装置を組み合わせて配置した場合、例えば他の画像表示装置の陰に隠れてしまい、備える表示部が見えなくなる画像表示装置や、備える太陽電池が十分な電力を発電できなくなる画像表示装置が発生する虞があった。
本発明は、上記問題を解決すべくなされたもので、その目的は、複数台を組み合わせて配置することによる利便性を高める画像表示装置、画像表示システム、及びプログラムを提供することにある。
【課題を解決するための手段】
【０００５】
この発明は上述した課題を解決するためになされたもので、本発明は、画像を電子的に表示する表示部と、電力を光から発生させて、出力する発電部と、前記発電部の出力値に基づいて、前記表示部が表示する画像の視認性を判定する判定部とを備えることを特徴とする画像表示装置である。
【０００６】
また、本発明は、上記に記載の複数の画像表示装置と、前記判定部による判定結果に応じて、前記複数の画像表示装置間の電力の受給方法を決定し、前記決定した受給方法に従って電力の交換を制御する電力制御部とを備えることを特徴とする画像表示システムである。
【０００７】
また、本発明は、画像表示装置が備えるコンピュータに、表示部が画像を電子的に表示するステップと、発電部が電力を光から発生させるステップと、前記発電部の出力値に基づいて、前記表示部が表示した画像の視認性を判定するステップとを実行させるためのプログラム。
【発明の効果】
【０００８】
この発明によれば、複数台を組み合わせて配置することによる利便性を高める画像表示装置、画像表示システム、及びプログラムを提供できる。
【図面の簡単な説明】
【０００９】
【図１】本実施形態における画像表示システムを示す図である。
【図２】本実施形態における画像表示システムの構成を示す図である。
【図３】本実施形態における画像表示装置の構造と２つの画像表示装置の組合せを示す図である。
【図４】本実施形態における画像表示装置の構造と２つの画像表示装置の組合せを示す図である。
【図５】本実施形態における５つの画像表示装置の組合せを示す図である。
【図６】画像を表示させる優先度の設定例を示す図である。
【図７】本実施形態における画像表示制御処理のフローチャートである。
【図８】本実施形態における画像表示装置の構造と２つの画像表示装置の組合せを示す図である。
【発明を実施するための形態】
【００１０】
（第１実施形態）
以下、本発明の一実施形態について、図面を参照して説明する。
本実施形態における画像表示システムは、発電部によって電力を光から発生させて、発生させた電力によって、表示部に画像を電子的に表示させる画像表示装置の利便性を、画像表示装置を複数台を組み合わせて配置することにより高めるものである。この画像表示システムは、発生させた電力を出力する発電部の出力値に基づいて、表示部が表示する画像の視認性を判定することにより、複数台の画像表示装置を組み合わせて配置する場合の利便性を高める。
【００１１】
図１は、本実施形態における画像表示システムを示す図である。
この図１に示されている画像表示システム１は、複数の画像表示装置を利用して情報（画像）を表示する。
画像表示システム１が備える複数の画像表示装置として、画像表示装置１００Ａ、１００Ｂ、１００Ｃ（以下、まとめて示す場合には単に「画像表示装置１００」という。）が示されている。
【００１２】
画像表示装置１００Ａの筐体５０Ａには、表示部１１０Ａ（図３）の表示面１１Ａと、発電部１２０Ａ（図３）の受光面１２Ａとが筐体５０Ａの表面に設けられている。例えば、表示面１１Ａと受光面１２Ａとが、多面体として構成されている筐体５０Ａにおける同一の面（正面５１Ａ（図３））に設けられており、表示面１１Ａと受光面１２Ａのそれぞれの法線の方向が略同一となっている。また、表示面Ａの各辺は、受光面１２Ａによって囲まれている。要するに、受光面１２Ａは、画像表示装置１００Ａ（フォトフレーム）における表示面１１Ａの周囲を取り巻くフレーム部になる。
画像表示装置１００Ｂの筐体５０Ｂには、画像表示装置１００Ａと同様に、表示面１１Ｂと、受光面１２Ｂとが筐体５０Ｂの表面に設けられている。
画像表示装置１００Ｃの筐体５０Ｃには、画像表示装置１００Ａと同様に、表示面１１Ｃと、受光面１２Ｃとが筐体５０Ｃの表面に設けられている。
【００１３】
このような、画像表示装置１００は、ユーザーが必要とする任意の位置に配置することができ、互いに隣接して設けられていても良い。例えば、図に示されるように、画像表示装置１００Ａ、画像表示装置１００Ｂ、画像表示装置１００Ｃを、画像表示装置１００Ｃの表示面１１Ｃの法線方向にずらして配置して、さらに、画像表示装置１００Ａは、画像表示装置１００Ｂ、画像表示装置１００Ｃのそれぞれの表示面や受光面の一部を遮るように配置しても良い。例えば、画像表示装置１００Ｃのそれぞれの表示面や受光面の一部を遮るような状態とは、表示面１１Ｃを法線方向から平面視して、表示面１１Ｃや受光面１２Ｃの一部が、画像表示装置１００Ａや画像表示装置１００Ｂの筐体と重なるように配置されている状態をいう。
【００１４】
図２を参照し、本実施形態における画像表示システムの構成を説明する。
図２は、本実施形態における画像表示システムの構成を示す図である。
この図２に示される画像表示システム１は、画像表示装置１００Ａ、１００Ｂ、１００Ｃを備える。なお、画像表示装置１００Ａ、１００Ｂ、１００Ｃは、同じ構成を備えており、「Ａ」、「Ｂ」、「Ｃ」を符号の後に付けることにより、それぞれの構成を区別する。以下の説明では、画像表示装置１００Ａを代表して説明することにより、画像表示装置１００Ａの説明に共通する画像表示装置１００Ｂ、１００Ｃの詳細な説明を省略する。
【００１５】
画像表示装置１００Ａは、表示部１１０Ａ、発電部１２０Ａ、電源部１３０Ａ、検出部１２５Ａ、蓄電部１４０Ａ、電力交換部１５０Ａ、通信部１６０Ａ、操作部１７０Ａ、記憶部１８０Ａ、制御部１９０Ａを備える。
表示部１１０Ａは、表示面１１Ａにおいて所望の画像を電子的に表示する。
本実施形態における表示部１１０Ａは、いわゆる電子ペーパーである。電子ペーパーは、画像を更新する期間以外の消費電力を低減することができるので、表示した画像を保持する期間の省電力化を必要とする場合に好適である。なお、表示部１１０Ａは、液晶表示パネル、ＬＥＤ表示パネル、ＥＬ表示パネルなどを適用することも可能である。表示部１１０Ａに表示する所望の画像は、画像表示装置１００Ａ外部から供給される画像情報に基づいた画像であってもよく、或は、予め画像表示装置１００Ａ内部に記憶されている画像情報に基づいた画像であってもよい。
【００１６】
発電部１２０Ａは、受光面１２Ａにおいて受けた光から電力を発生させて、出力する。
本実施形態における発電部１２０Ａは、例えば、複数のセルを有する太陽電池であり、受光面の照度と、受光面積に応じて発電量が変化する。なお、電力を発生させる光は、自然光であるか、人工光であるかを問わず、画像表示装置１００Ａの外部から照射される所定の光量の光であればよい。なお、発電部１２０Ａは、電力を光から発生させるものであればよく、太陽電池に限るものではない。
【００１７】
検出部１２５Ａは、発電部１２０Ａの出力値を検出する。検出部１２５Ａが検出した発電部１２０Ａの出力値は、光から発生させた電力量に応じて変化する物理量（情報）によって示される値である。例えば、発電部１２０Ａの出力値は、光から発生させた電力量を示す値であってもよく、光から発生させた電力の電圧や電流を示す値であってもよい。また、同出力値は、電力量、電圧、電流の値そのものでなくてもよく、電力量に応じて変化する値であればよい。
或は、検出部１２５Ａが検出した発電部１２０Ａの出力値は、発電部１２０Ａが光から発生させた電力が蓄電部１４０Ａに蓄電されている場合には、蓄電部１４０Ａに蓄電されている蓄電量に応じた情報によって示される値であってもよい。また、同出力値は、蓄電量の値そのものでなくてもよく、蓄電量に応じて変化する値であればよい。
【００１８】
電源部１３０Ａは、発電部１２０Ａが光から発生させた電力の供給を受け、又は、他の画像表示装置１００Ｂ、１００Ｃから電力交換部１５０Ａを介して電力の供給を受け、供給を受けた電力を画像表示装置１００Ａの各部に供給する。各部に供給された電力のうち一部の電力が、蓄電部１４０Ａに蓄電される。
蓄電部１４０Ａは、発電部１２０Ａが光から発生させた電力、又は、他の画像表示装置１００Ｂ、１００Ｃから供給された電力の一部を蓄電する。例えば、蓄電部１４０Ａは、各種２次電池、又は、静電容量素子（コンデンサ）である。
電力交換部１５０Ａは、複数の画像表示装置のうち自画像表示装置と異なる他の画像表示装置との間で電力を交換する。
例えば、電力交換部１５０Ａは、所定の周波数の電磁波を所定の電界強度で出力する電力送信部と、所定の周波数の電磁波を受けて、受けた電磁波によって供給されたエネルギーを電力に変換して出力する電力変換部とを備える。
或は、電力交換部１５０Ａは、所定の波長の光を所定の光強度で出力する光送信部と、所定の波長の光を受けて、受けた光によって供給されたエネルギーを電力に変換して出力する電力変換部とを備える。なお、上記の電力交換部１５０Ａにおける電力変換部は、発電部１２０Ａが備える一部のセルを切り替えて構成しても良い。なお、所定の波長は、可視光以外の光（例えば、赤外光）を利用することにより、画像表示装置１００近傍に不要な光の照射をさけることができる。
【００１９】
通信部１６０Ａは、他の画像表示装置１００Ｂ、１００Ｃ等との通信を行う。例えば、通信部１６０Ａは、通信処理部１９６Ａによる通信処理に応じて、他の画像表示装置１００Ｂ、１００Ｃがそれぞれ備える発電部１２０Ｂ、１２０Ｃの出力値を受信する。また、通信部１６０Ａは、通信処理部１９６Ａによる通信処理に応じて、他の画像表示装置１００Ｂ、１００Ｃなどに対して発電部１２０Ａの出力値を送信する。なお、通信部１６０Ａの通信手段として、配線を不要とする無線通信とすることが好適であり、無線ＬＡＮ、Bluetooth（登録商標）、赤外光通信などの近距離通信に適する一般的な手段が考えられる。
【００２０】
操作部１７０Ａは、ユーザーの操作に基づいて、画像表示装置１００Ａにおける各種設定項目の登録情報、及び、画像表示装置１００Ａにおける動作状態を指定する入力情報などを検出し、検出した情報を記憶部１８０Ａに記憶させる。
記憶部１８０Ａは、半導体メモリーによる記憶領域を構成に含み、画像表示装置１００Ａにおける各種設定項目の登録情報、画像表示装置１００Ａにおける動作を指定する入力情報、及び、画像表示システム１における構成情報などを記憶する。
【００２１】
制御部１９０Ａは、表示制御部１９１Ａ、判定部１９２Ａ、電力制御部１９３Ａ、組合せ表示制御部１９４Ａ、通信処理部１９６Ａを備える。
表示制御部１９１Ａは、判定部１９２Ａによる判定結果に応じて、表示部１１０Ａにおける画像の表示を制御する。
例えば、表示制御部１９１Ａは、判定部１９２Ａによる判定結果に応じて定められる優先順位に従って、表示部１１０Ａにおける画像の表示を制御する。
或は、表示制御部１９１Ａは、判定部１９２Ａによる判定結果に応じて定められる更新頻度に従って、表示部１１０Ａにおける画像の表示の更新を制御してもよい。
より具体的な処理として、所定のシーケンスに従って表示する場合がある。換言すれば、所定のシーケンスに従う処理とは、スライドショーなどの複数の画像の順次切り替え処理などを意味する。仮に画像表示装置１００が、一般的なユーザーを対象としたフォトフレームのような装置であれば、表示される画像は個人の撮影した写真画像であり、サイネージのように商用の情報を表示する用途の装置であれば、広告を目的とするコンテンツ画像がスライドショー再生される対象となる。
【００２２】
判定部１９２Ａは、検出部１２５Ａによって検出された発電部１２０Ａの出力値に基づいて、表示部１１０Ａが表示する画像の視認性を判定する。
本実施形態における表示部１１０Ａが表示する画像の視認性とは、表示部１１０Ａに表示された画像の見易さを示す指標を示し、例えば表示部１１０Ａの表示領域が遮蔽されていない状態が、視認性の高い状態とする。
上記の視認性の判定において、発電部１２０Ａの出力値が、光から発生させた電力量に応じて変化する情報によって示される値である場合、判定部１９２Ａは、電力量に応じて変化する情報によって示される値に基づいて、表示部１１０Ａが表示した画像の視認性を判定する。
より具体的な一例を示すと、発電部１２０Ａの出力値が、光から発生させた電力量を示す値である場合、判定部１９２Ａは、光から発生させた電力量を示す値に基づいて、表示部１１０Ａが表示した画像の視認性を判定する。
【００２３】
判定部１９２Ａは、通信処理部１９６Ａが収集した画像表示装置１００Ｂ、１００Ｃがそれぞれ備える発電部１２０Ｂ、１２０Ｃの出力値と、前述の発電部１２０Ａの出力値とに基づいて、複数の画像表示装置における各画像表示装置の組合せ状態を判定し、判定結果に基づいて表示部１１０Ａが表示する画像の視認性を判定する。
判定部１９２Ａは、検出部１２５Ａによって検出された発電部１２０Ａの出力値に基づいて、受光面１２Ａの少なくとも一部と表示面１１Ａの少なくとも一部が自装置以外の画像表示装置の筐体５０Ａによって覆われていると判定する。
なお、判定部１９２Ａは、検出部１２５Ａによって検出された発電部１２０Ａの出力値に基づいて、表示面１１Ａの少なくとも一部が自装置以外の画像表示装置の筐体５０Ａによって覆われていると判定してもよい。
判定部１９２Ａは、他の画像表示装置１００Ｂ、１００Ｃの筐体に設けられた勘合部と、筐体５０Ａに設けられた勘合部とが勘合した状態に応じて、表示部１１０Ａが表示した画像の視認性を判定する。詳細については、後述とする。
【００２４】
電力制御部１９３Ａは、判定部１９２Ａによる判定結果に応じて、他の画像表示装置との間の電力の受給方法を決定し、決定した受給方法に従って電力の交換を制御する。
組合せ表示制御部１９４Ａは、判定部１９２Ａによる判定結果に応じて、各表示部において表示する画像の表示方法をそれぞれ定める。
例えば、組合せ表示制御部１９４Ａは、判定部１９２Ａによる判定結果に応じて、各表示部において表示する画像の優先順位をそれぞれ定める。
或は、組合せ表示制御部１９４Ａは、判定部１９２Ａによる判定結果に応じて、各表示部において画像の表示を更新する頻度をそれぞれ定める。
【００２５】
通信処理部１９６Ａは、通信部１６０Ａを介して、他の画像表示装置１００Ｂ、１００Ｃ等との通信を行う。例えば、通信処理部１９６Ａは、他の画像表示装置１００Ｂ、１００Ｃに対して、他の画像表示装置１００Ｂ、１００Ｃがそれぞれ備える発電部１２０Ｂ、１２０Ｃの出力値の送信を要求するとともに、他の画像表示装置１００Ｂ、１００Ｃがそれぞれ備える発電部１２０Ｂ、１２０Ｃの出力値を受信する。また、通信処理部１９６Ａは、他の画像表示装置１００Ｂ、１００Ｃなどに対して発電部１２０Ａの出力値を送信する。
【００２６】
画像表示装置１００Ｂは、表示部１１０Ｂ、発電部１２０Ｂ、電源部１３０Ｂ、検出部１２５Ｂ、蓄電部１４０Ｂ、電力交換部１５０Ｂ、通信部１６０Ｂ、操作部１７０Ｂ、記憶部１８０Ｂ、制御部１９０Ｂを備える。
画像表示装置１００Ｃ内部の構成に記載を省略する。
【００２７】
次に、図３−６を参照し、本実施形態における画像表示装置の構造的な特徴を示し、組み合わせて配置する態様について説明する。
[第１実施形態における一実施態様]
図３を参照し、本実施形態における一実施態様を示す。
図３は、本実施形態における画像表示装置の構造と２つの画像表示装置の組合せを示す図である。
この図３には、画像表示装置１００Ａ、１００Ｂが示されている。
【００２８】
図３（ａ）が、表示面１１Ａが設けられている筐体５０Ａの正面５１Ａ側から俯瞰した図であり、図３（ｂ）が、筐体５０Ａの裏面５２Ａ側から俯瞰した図であり、図３（ｃ）が、図３（ａ）におけるＹ−Ｙ’に沿った断面図であり、図３（ｄ）が、画像表示装置１００Ａ、１００Ｂを組み合わせた状態を正面５１Ａ側から俯瞰した図である。
この図における筐体５０Ａを直方体として、表示面１１Ａの法線方向をＸ軸、表示面１１Ａの直交する辺に沿った方向にＹ軸、Ｚ軸をそれぞれ定める。このように定めたＸ軸、Ｙ軸、Ｚ軸による直交座標系を基準にして以下の説明を行う。
この図に示される画像表示装置１００Ａ、１００Ｂは、Ｘ軸方向に正面５１Ａと正面５１Ｂの位置を揃えて配置されており、互いに正面５１Ａと正面５１Ｂのそれぞれの法線の方向は、Ｘ軸の方向に向けられている。
【００２９】
筐体５０Ａの正面５１Ａには、前述の表示面１１Ａと受光面１２Ａが設けられている。
筐体５０Ａの上面５３Ａには、凸部５８Ａが所定の間隔（間隔Ｄ）を隔てて複数設けられている。
筐体５０Ａの下面５４Ａには、不図示の勘合孔５７Ａが所定の間隔（間隔Ｄ）を隔てて複数設けられている。
筐体５０Ａの一方の側面である側面５５Ａには、勘合孔５７Ａが所定の間隔（間隔Ｄ）を隔てて複数設けられている。
筐体５０Ａの他方の側面である側面５６Ａには、凸部５８Ａが所定の間隔（間隔Ｄ）を隔てて複数設けられている。
筐体５０Ａの裏面５２Ａの中央部に、ベース部材６０Ａが設けられており、ベース部材６０Ａの重心Ｇ’と筐体５０Ａの重心ＧがＸ軸方向に並ぶようにベース部材６０Ａが配置されている。
【００３０】
ベース部材６０Ａは、筐体５０Ａより小さな直方体であって、筐体５０Ａの各辺の方向とベース部材６０Ａの各辺の方向が並行になるように配置されている。
ベース部材６０Ａの上面６３Ａには、凸部６８Ａが所定の間隔（間隔Ｄ）を隔てて複数設けられている。
ベース部材６０Ａの下面６４Ａには、不図示の勘合孔６７Ａが所定の間隔（間隔Ｄ）を隔てて複数設けられている。
ベース部材６０Ａの一方の側面である側面６５Ａには、勘合孔６７Ａが所定の間隔（間隔Ｄ）を隔てて複数設けられている。
ベース部材６０Ａの他方の側面である側面６６Ａには、凸部６８Ａが所定の間隔（間隔Ｄ）を隔てて複数設けられている。
【００３１】
なお、勘合孔５７Ａ同士の間隔、凸部５８Ａ同士の間隔、勘合孔６７Ａ同士の間隔、凸部６８Ａ同士の間隔は、それぞれ同じ値（間隔Ｄ）に設定され、それぞれが等間隔に配置されている。それゆえ、仮に２つの画像表示装置１００ＡをＺ軸方向に並べて設けた場合には、一方の上面５３Ａに設けられた凸部５８Ａが、他方の下面５４Ａに設けられた勘合孔５７Ａに勘合する。また、仮に２つの画像表示装置１００ＡをＹ軸方向に並べて設けた場合には、一方の側面５６Ａに設けられた凸部５８Ａが、他方の側面５５Ａに設けられた勘合孔５７Ａに勘合する。
要するに、画像表示装置１００Ａと同じ構成を有する画像表示装置１００Ｂと、画像表示装置１００Ａとを、Ｘ軸方向に正面５１Ａと正面５１Ｂを同じ位置になるように揃えて、Ｙ軸方向に並べて設けた場合（図（ｃ）、（ｄ）参照）には、画像表示装置１００Ａの側面５６Ａに設けられた凸部５８Ａが、画像表示装置１００Ｂの側面５５Ｂに設けられた勘合孔５７Ｂに勘合する。
なお、上記のとおり表示面１１Ａは、筐体５０Ａに対し、受光面１２Ａが設けられている方向と同一方向に設けられている。
【００３２】
[第１実施形態における一実施態様の第１の変形例]
図４を参照し、本実施形態における一実施態様の第１の変形例を示す。
図４は、本実施形態における画像表示装置の構造と２つの画像表示装置の組合せを示す図である。
この図４には、画像表示装置１００Ａ、１００Ｂが示されており、前述の図に示される画像表示装置１００Ａ、１００Ｂが、Ｘ軸方向に正面５１Ａと正面５１Ｂの位置を揃えて配置されていたのに対して、Ｘ軸方向に正面５１Ａと正面５１Ｂの位置を所定量ずらして配置されている点が異なる。
【００３３】
図４（ａ）が、表示面１１Ａが設けられている筐体５０Ａの正面５１Ａ側から俯瞰した図であり、図４（ｂ）が、図４（ａ）におけるＹ−Ｙ’に沿った断面図であり、図４（ｄ）が、画像表示装置１００Ａ、１００Ｂを組み合わせた状態を正面５１Ａ側から俯瞰した図である。
【００３４】
前述のとおり、勘合孔５７Ａ同士の間隔、凸部５８Ａ同士の間隔、勘合孔６７Ａ同士の間隔、凸部６８Ａ同士の間隔は、全て同じ距離に設定され、それぞれが等間隔に配置されている。
それゆえ、Ｘ軸方向に正面５１Ａと正面５１Ｂの位置を所定量ずらしたうえで、仮に２つの画像表示装置１００ＡをＺ軸方向に並べて設けた場合には、一方の上面５３Ａに設けられた凸部５８Ａが、他方の下面６４Ａに設けられた勘合孔６７Ａに勘合する。また、仮に２つの画像表示装置１００ＡをＹ軸方向に並べて設けた場合には、一方の側面６６Ａに設けられた凸部６８Ａが、他方の側面５５Ａに設けられた勘合孔５７Ａに勘合する。
要するに、画像表示装置１００Ａと同じ構成を有する画像表示装置１００Ｂと、画像表示装置１００Ａとを、Ｘ軸方向に正面５１Ａと正面５１Ｂの位置を所定量ずらしたうえで、Ｙ軸方向に並べて設けた場合（図４（ｂ）、（ｃ）参照）には、画像表示装置１００Ａの側面６６Ａに設けられた凸部６８Ａが、画像表示装置１００Ｂの側面５５Ｂに設けられた勘合孔５７Ｂに勘合する。
このように、Ｘ軸方向に正面５１Ａと正面５１Ｂの位置を所定量ずらしても、筐体５０Ａの裏面５２Ａの中央部に、ベース部材６０Ａが設けられていることにより、画像表示装置１００Ａ、１００Ｂを組み合わせた状態を容易に形成することができる。
【００３５】
ただし、側面６６Ａの位置が、Ｙ軸の負の方向に側面５６Ａの位置から隔てて設けられていることにより、領域Ｚ１に示されるように、画像表示装置１００Ｂの正面５１Ｂを画像表示装置１００Ａの筐体５０Ａが覆うように配置されることになる。その結果、受光面１２Ｂが受光可能な面積が減少する。さらに、ベース部材６０Ａの大きさを小さくするにつれ、側面６６Ａの位置が、Ｙ軸の負の方向に側面５６Ａの位置からさらに隔てて設けられることになり、領域Ｚ２に示されるように、画像表示装置１００Ｂの正面５１Ｂに設けられている表示面１１Ｂをも、画像表示装置１００Ａの筐体５０Ａが覆うように配置されることになる。
このように、筐体５０Ａの大きさとベース部材６０Ａの大きさが予め定められていることにより、画像表示装置１００Ａ、１００Ｂを組み合わせて配置したときの、領域Ｚ１及びＺ２の広さを容易に算出することが可能となる。
換言すれば、並べて配置される画像表示装置１００Ａ、１００Ｂの正面の照度が等しいとすれば、受光面積の違いに応じて発電量の差が生じることから、発電量を検出することにより、画像表示装置１００Ａ、１００Ｂの配置関係を検出することが可能となる。
【００３６】
[第１実施形態における一実施態様の第２の変形例]
図５−６を参照し、本実施形態における一実施態様の第２の変形例を示す。
図５は、本実施形態における５つの画像表示装置の組合せを示す図である。
この図５には、画像表示装置１００Ａ、１００Ｂ、１００Ｃ、１００Ｄ、１００Ｅが示されており、前述の図に示される画像表示装置１００Ａ、１００Ｂのように、Ｘ軸方向に正面５１Ａと正面５１Ｂ、５１Ｃ、５１Ｄ、５１Ｅの位置を所定量ずらして配置されている。なお、５つの画像表示装置１００のうち、画像表示装置１００Ｂ、１００Ｄの２つは、他の３つの画像表示装置１００に対し、Ｘ軸を基準に９０度回転させた状態を示す。
【００３７】
ここで、５つの画像表示装置のそれぞれに画像を表示させる優先度を設定する場合について説明する。ここで、画像を表示させる優先度を設定することにより、５つの画像表示装置に供給可能な電力量が少なくなった場合の表示を、設定した優先度に応じて制限することが可能となる。
図６は、画像を表示させる優先度の設定例を示す図である。
例えば、中央に配置される画像表示装置１００Ａの優先度を最も高く設定する。画像表示装置１００Ａの左右に配置される画像表示装置１００Ｂ、１００Ｃの優先度を、画像表示装置１００Ａの優先度の次に高く設定する。画像表示装置１００Ａの上方に配置される画像表示装置１００Ｄの優先度を、画像表示装置１００Ｂ、１００Ｃの優先度の次に高く設定する。画像表示装置１００Ａの下方に配置される画像表示装置１００Ｅの優先度を、画像表示装置１００Ｄの優先度の次に高く設定する。換言すれば、画像表示装置１００Ｅの優先度は、５つの画像表示装置の中で最も低い優先度となる。
この図に示されている設定例では、上記のように設定した優先度に応じて、８つの表示状態を定めている。表示を行う状態を「丸印」によって示し、消費電力を低減させて表示を継続する状態を「三角印」によって示し、表示を中断して消費電力が生じないようにする状態を「四角印」によって示す。この設定例では、表示状態として示す番号が大きくなるにつれ、消費電力を低減させる量を多くすることが必要とすることを示している。
【００３８】
図７を参照し、本実施形態における画像表示の制御の手順について説明する。
図７は、本実施形態における画像表示制御処理のフローチャートである。
【００３９】
最初に、制御部１９０Ａは、発電部１２０Ａに発電させる状態にする。
検出部１２５Ａは、発電部１２０Ａにおける発電量を検出する（ステップＳ１０）。
次に、判定部１９２Ａは、検出部１２５Ａによって検出された発電部１２０Ａの出力値に基づいて、表示部１１０Ａが表示する画像の視認性を判定する（ステップＳ２０）。
次に、判定部１９２Ａは、通信処理部１９６Ａを介して画像表示装置１００Ｂ、１００Ｃがそれぞれ備える発電部１２０Ｂ、１２０Ｃの出力値と、各出力値に基づいた視認性の判定結果をそれぞれ収集させる（ステップＳ３０）。
判定部１９２Ａは、発電部１２０Ｂ、１２０Ｃの出力値と、発電部１２０Ａの出力値に基づいて、複数の画像表示装置における各画像表示装置の組合せ状態を判定する。判定部１９２Ａによる各画像表示装置の組合せ状態を判定した判定結果に応じて、組合せ表示制御部１９４Ａは、各表示部において表示する画像の優先順位、又は、画像の表示を更新する頻度をそれぞれ算出する。組合せ表示制御部１９４Ａは、算出した結果を記憶部１８０Ａに記憶させるとともに、他の画像表示装置に送信して、それぞれの記憶部に記憶させる。
また、電力制御部１９３Ａは、判定部１９２Ａによる前述の判定結果に応じて、他の画像表示装置との間の電力の受給方法を決定する。電力制御部１９３Ａは、決定した結果を記憶部１８０Ａに記憶させるとともに、他の画像表示装置に送信して、それぞれの記憶部に記憶させる（ステップＳ４０）。
次に、電力制御部１９３Ａは、決定した受給方法に従って電力の交換を制御する（ステップＳ５０）。
次に、表示制御部１９１Ａは、組合せ表示制御部１９４Ａが算出した結果に応じて、表示部１１０Ａにおける画像の表示を制御する（ステップＳ６０）。
【００４０】
以上に示す本実施形態における画像表示システム１は、複数台の画像表示装置１００を組み合わせて配置した状態を、各発電部が発電する電力に応じて検出できる。これにより、画像表示システム１は、発電した電力を各画像表示装置において共有することで発電量不足による表示停止を回避したり、発電量に応じて表示方法を制御したりすることが可能となることにより、複数台の画像表示装置１００を組み合わせて表示する際の利便性を高めることができる。
【００４１】
（第２実施形態）
次に、図８を参照し、本実施形態における画像表示装置の構造的な特徴を示し、組み合わせて配置する形態について説明する。なお、本実施形態における画像表示システムにおける構成、及び、画像表示装置における電気的な構成と処理は、前述の第１実施形態と同様であり、前述の第１実施形態の説明を参照する。
図８は、本実施形態における画像表示装置の構造と２つの画像表示装置の組合せを示す図である。
この図８には、画像表示装置１０１Ａ、１０１Ｂが示されている。画像表示装置１０１Ａ、１０１Ｂは、前述の画像表示装置１００Ａ、１００Ｂに対応し、画像表示装置１００Ａ、１００Ｂの電気的な構成と処理の説明を参照する。
【００４２】
図８（ａ）が、表示面１１Ａが設けられている筐体５０Ａの正面５１Ａ側から俯瞰した図であり、図８（ｂ）が、図８（ａ）におけるＹ−Ｙ’に沿った断面図であり、図（ｃ）が、画像表示装置１０１Ａ、１０１Ｂを組み合わせた状態を正面５１Ａ側から俯瞰した図である。
画像表示装置１０１Ａは、表示面１１Ａと受光面１２Ａの設けられ方が、前述の画像表示装置１００Ａと異なる。
画像表示装置１０１Ａは、前述の画像表示装置１００Ａのように筐体５０Ａ、ベース部材６０Ａに加え、表示部材７０Ａ、表示部材７０Ａを筐体５０Ａの正面５１Ａを基準に支持する支持部材７５Ａを備える。
筐体５０Ａの正面５１Ａの中央部に、正面５１ＡからＸ軸方向に所定の距離を隔てて表示部材７０Ａが設けられている。
表示部材７０Ａは、筐体５０Ａより小さな直方体であって、筐体５０Ａの各辺の方向と表示部材７０Ａの各辺の方向が並行になるように配置されている。
表示部材７０Ａは、正面５１Ａと並行になる面に表示面１１Ａを有している。
表示部材７０Ａの形状を直方体とすれば、表示面１１Ａの法線方向がＸ軸方向、表示面１１Ａの直交する辺に沿った方向がＹ軸方向、Ｚ軸方向になる。
なお、上記のとおり、表示部材７０Ａは、筐体５０Ａに対し、受光面１２Ａが設けられている方向と同一方向に設けられている。要するに、表示面１１Ａは、筐体５０Ａに対し、受光面１２Ａが設けられている方向と同一方向に設けられている。
【００４３】
本実施形態の筐体５０Ａの正面５１Ａには、前述の受光面１２Ａと、正面５１Ａに対してＸ軸方向に凸になるように支持部材７５Ａが設けられている。
支持部材７５Ａは、前述の表示部材７０Ａを筐体５０Ａの正面５１Ａに対して支持する。
本実施形態においては、表示部材７０Ａに設けられた表示面１１Ａの位置が、筐体５０Ａの正面５１Ａに設けられた受光面１２Ａの位置からＸ軸方向に隔てて設けられている。
このようにＸ軸方向に隔てて配置したことにより、受光面１２Ａの面積を広くすることができ、さらに表示面１１Ａ及び受光面１２Ａを遮蔽されにくくすることができる。
【００４４】
特に、画像表示装置１０１Ａと画像表示装置１０１Ｂを組み合わせた構成において、筐体５０Ａと筐体５０Ｂの配置を、前述の図４（ｃ）と同じ位置関係になるように配置した状態を図８（ｃ）に示している。
この図８に示されるように、領域Ｚ３に示す領域が、受光面１２Ｂが遮蔽されている領域を示している。このように領域Ｚ３が生じていても、表示面１１Ａ、１１Ｂはともに遮蔽されないようにできる。また、受光面１２Ａ、１２Ｂにおいて受光可能な面積は、前述の図３−４に示される構成より明らかに広くなる。
画像表示装置１０１Ａの形状は、画像表示装置１０１Ａを取り付けた壁面から、壁面から鉛直方向に所定の距離を隔てて、表示面１１Ａを配置して表示することができるというデザイン面における効果を奏するだけでなく、表示面１１Ａの視認性を高め、受光面１２Ａを広くできるという効果を奏する。
【００４５】
以上に示す本実施形態における画像表示システム１は、複数台の画像表示装置１０１を組み合わせて配置した状態を、各発電部が発電する電力に応じて検出できる。これにより、画像表示システム１は、発電した電力を各画像表示装置において共有することで発電量不足による表示停止を回避したり、発電量に応じて表示方法を制御したりすることが可能となることにより、複数台の画像表示装置１０１を組み合わせて表示する際の利便性を高めることができる。
【００４６】
なお、本実施形態における画像表示装置１００Ａは、その筐体５０Ａの側面の端部と、裏面５２Ａに設けられているベース部材６０Ａの端部に、他の画像表示装置１００Ｂ、１００Ｃなどと接続する、凸部と、凸部に勘合する勘合孔とが設けられている。これらの複数の凸部と勘合孔が勘合できる範囲で複数の画像表示装置が組み合わされる。
一方の画像表示装置の凸部（例えば、凸部５８Ａ、６８Ａ）と、他方の画像表示装置の勘合孔（例えば、勘合孔５７Ａ、６７Ａ）は、勘合可能な部位の端部に設けられているもの同士を組み合わせてもよい。例えば、勘合孔５７Ａ同士の間隔、凸部５８Ａ同士の間隔、勘合孔６７Ａ同士の間隔、凸部６８Ａ同士の間隔は、全て同じ距離（間隔Ｄ）に揃えることにより、勘合可能な部位の組合せの制限を少なくすることができ、画像表示装置１００の方向が揃っていなくても勘合可能な組合せを用意することができる。
【００４７】
なお、本実施形態における画像表示装置１００Ａでは、発電部１２０Ａを複数のセルを備える太陽電池パネルとした場合、発電部１２０Ａにおける何れの部分が隠れているのか、或は、隠れていないのかを、太陽電池のセル毎の出力状態から判断することができる。
さらに、その太陽電池のセル毎の出力状態から、画像表示装置１００の状態（組み合わせ状態）と、それぞれの画像表示装置１００の表示部がユーザーから見える状態にあるか否かの判断結果に応じて、どの画像表示装置１００の表示部を使用して、どの画像表示装置１００の表示部を使用しないのかを決定する。
【００４８】
具体的には、ほとんど、或は、まったくユーザーから見えない状態の表示部を備える画像表示装置１００の表示部は使用しないように設定したり、或は、画像の切り替え頻度を低くするように設定する。
例えば、各画像表示装置１００に対するそれぞれの設定内容を、複数の画像表示装置１００のうちの特定の画像表示装置１００における組合せ表示制御部（例えば、組合せ表示制御部１９４Ａ）が、画像表示システム１を代表して生成してもよい。特定の画像表示装置１００から生成された設定内容を通信手段を介して送信することにより、特定の画像表示装置１００以外の各画像表示装置１００がそれぞれの設定内容を共有することができ、その設定内容に従って各画像表示装置１００の制御部１９０は画像表示のシーケンスを実行する。
或は、各画像表示装置１００に対するそれぞれの設定内容は、それぞれの画像表示装置１００における組合せ表示制御部（例えば、組合せ表示制御部１９４Ａ）が、自画像表示装置１００の設定内容を生成してもよい。各画像表示装置１００が生成した設定内容を各画像表示装置１００が通信手段を介して送信することにより、各画像表示装置１００は、互いに送信しあう情報から、それぞれの設定内容を共有することができる。
各画像表示装置１００は、自ら生成した設定内容に従って画像表示のシーケンスを実行する。なお、各画像表示装置１００の間で共有した設定情報に応じて、各画像表示装置１００は、自ら生成した設定内容を補正してもよい。共有した設定情報に基づいて、発電状況と電力消費状況を合わせて判定することが可能となり、自ら生成した設定内容を補正して、画像表示システムの利便性を高めることが可能となる。
【００４９】
なお、上記の各画像表示装置１００の状態判定は、画像表示装置１００同士が接続された直後に行っても良いし、画像表示装置１００同士が接続されてから一定時間経過後に、ある程度の時間幅をもって行っても良い。前者の方法では、画像表示装置１００同士が接続された直後であっても、未接続の画像表示装置１００が残っていたり、残りの画像表示装置１００を接続している作業中に状態判定を行うことになる虞がある。そのため、前者の方法では、判定された状況に応じて判定結果が左右されるが、後者であれば、接続作業が終了した後、安定した状態で（＝精度よく）画像表示装置１００同士の状態を判定できる。
【００５０】
なお、画像表示装置１００同士が電力を融通できる構成とした場合は、例えば、発電部（太陽電池）が隠れていて十分な発電が行えないが、表示部（表示パネル）がその前面方向に露出していてユーザーから見える位置にある画像表示装置１００に対して、他の画像表示装置１００から電力を供給（融通）して画像表示を行わせることができる。
この場合は、電力の供給（融通）を、有線接続や、非接触による無線接続（電磁誘導など）の受給電の方法により行うことができる。前者の場合は電力の受給ロスを比較的少なくできるというメリットがあるが、有線接続するための電気的なコネクターやケーブルなどによって、画像表示装置１００の形状や組み合わせ方の自由度が下がるデメリットがある。一方、後者の場合は、画像表示装置１００の形状や組み合わせ方の自由度を高めることができ、電力の需給ロスが比較的多くなる分は、消費電力を低減させることにより解消させることができる。
上記における電力の供給（融通）を行う代表的な場合を以下に示す。
（１）画像表示装置１００Ｂの備える発電部１２０Ｂ（太陽電池セル）がほとんど、あるいは全て他の画像表示装置１００（例えば、画像表示装置１００Ａ）によって遮蔽されていて、かつ表示部１１０Ｂ（表示パネル）がユーザーから見える状態であると判定された場合は、接続している別の画像表示装置１００（例えば、画像表示装置１００Ａ）から電力の供給を受ける。
（２）画像表示装置１００Ａの備える発電部１２０Ａ（太陽電池セル）がほとんど、あるいは全て他の画像表示装置１００（例えば、画像表示装置１００Ｂ）によって遮蔽されておらず、かつ表示部１１０Ａ（表示パネル）はユーザーから見えない状態であると判定された場合は、接続している別の画像表示装置１００（例えば、画像表示装置１００Ｂ）へ電力を供給する。
【００５１】
この設定内容は同様に無線通信手段によって各装置に共有され、その内容に従って各装置は電力の融通を行う。
【００５２】
なお、上述の実施形態の要件は、発明の技術的な特徴に影響のない範囲で適宜変更することができる。また、一部の構成要素を用いない場合もある。
【００５３】
なお、上記の実施形態における画像表示装置１００が備える各部は、専用のハードウェアにより実現されるものであってもよく、また、メモリー及びマイクロプロセッサにより実現させるものであってもよい。
【００５４】
なお、この画像表示装置１００が備える各部は、メモリー及びＣＰＵ（演算処理装置）により構成され、画像表示装置１００が備える各部の機能を実現するためのプログラムをメモリーにロードして実行することによりその機能を実現させるものであってもよい。
【００５５】
また、画像表示装置１００が備える各部の機能を実現するためのプログラムをコンピュータ読み取り可能な記録媒体に記録して、この記録媒体に記録されたプログラムをコンピュータシステムに読み取らせて、実行することにより各部による処理を行ってもよい。なお、ここでいう「コンピュータシステム」とは、ＯＳや周辺機器等のハードウェアを含むものとする。
【００５６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組合せで実現できるものであってもよい。
【符号の説明】
【００５７】
１  画像表示システム
１００、１００Ａ、１００Ｂ、１００Ｃ、１００Ｄ、１００Ｅ  画像表示装置、
１１０Ａ、１１０Ｂ  表示部、
１２０Ａ、１２０Ｂ  発電部、
１９２Ａ、１９２Ｂ  判定部、
１１Ａ、１１Ｂ、１１Ｃ  受光面、
１２Ａ、１２Ｂ、１２Ｃ  表示面、
５０Ａ、５０Ｂ  筐体、
６０Ａ、６０Ｂ  ベース部
【図１】
2014021434.tif 000003
【図２】
2014021434.tif 000004
【図３】
2014021434.tif 000005
【図４】
2014021434.tif 000006
【図５】
2014021434.tif 000007
【図６】
2014021434.tif 000008
【図７】
2014021434.tif 000009
【図８】
2014021434.tif 000010